(57)【要約】【課題】  操作が簡単であり、且つ構造が簡易で、安価に製造することができる電子部品のソケットを提供することにある。【解決手段】  電子部品１を載置する支承面５を有するステージ２と、前記支承面５に載置された電子部品１に弾性的に接触して電気的に接続する接触子１０と、外圧の作用によって前記接触子１０を電子部品１から離れるように弾性変形させる外圧作用部４と、前記外圧の作用によって前記支承面５に載置された電子部品１を取出せるように解放する解放位置と、外圧を取り除くことによって支承面５に載置された電子部品１を押える押圧位置との間を移動するように前記ステージ２に回転可能に支持された押え部材３とを備える。【選択図】  図１
2006066343.tif 000002
【特許請求の範囲】
【請求項１】
電子部品を載置する支承面を有するステージと、
前記支承面に載置された電子部品に弾性的に接触して電気的に接続する接触子と、
外圧の作用によって前記接触子を電子部品から離れるように弾性変形させる外圧作用部と、
前記外圧の作用によって前記支承面に載置された電子部品を取出せるように解放する解放位置と、外圧を取り除くことによって支承面に載置された電子部品を押える押圧位置との間を移動するように前記ステージに回転可能に支持された押え部材とを備えることを特徴とする電子部品のソケット。
【請求項２】
前記外圧作用部には、前記押え部材を常に押圧位置に付勢する弾性部材が作用する請求項１記載の電子部品のソケット。
【請求項３】
前記押え部材には、前記外圧の作用によって押え部材を解放位置と押圧位置との間に移動させる作用機構がステージに支持された押え部材の支持部とは異なった位置に設けられる請求項１記載の電子部品のソケット。
【請求項４】
前記作用機構は、ステージ側に設けられたシャフトと、押え部材側に設けられ前記シャフトが挿入される長孔とで構成される請求項２記載の電子部品のソケット。
【請求項５】
前記接触子は、前記押え部材に係合され、前記押え部材が前記解放位置に移動されたとき、該移動に伴って前記電子部品から離れるように弾性変形される請求項１記載の電子部品のソケット。
【請求項６】
前記接触子は、前記押え部材が押圧位置にあるとき、前記電子部品に弾性的に接触する請求項１記載の電子部品のソケット。
【請求項７】
前記接触子は、電子部品の側面端子に弾性的に接触する側面接触子と、電子部品の下面端子に弾性的に接触する下面接触子とを有する請求項１記載の電子部品のソケット。
【請求項８】
基台と、
前記基台に取付けられ電子部品を載置する支承面を有するステージと、
前記基台に固定され前記支承面に載置された電子部品に弾性的に接触して電気的に接続する接触子と、
外圧の作用によって前記接触子を電子部品から離れるように弾性変形させる外圧作用部と、
前記外圧の作用によって前記支承面に載置された電子部品を取出せるように解放する解放位置と、外圧を取り除くことによって支承面に載置された電子部品を押える押圧位置との間を移動するように前記ステージに回転可能に支持された押え部材と、
前記基台と外圧作用部との間に設けられ、前記押え部材を常に押圧位置に付勢する弾性部材とを備え、
前記接触子は、前記押え部材に係合され該押え部材が押圧位置にあるとき、電子部品に弾性的に接触され、押え部材が解放位置に移動されるとき、電子部品から離れるように弾性変形されることを特徴とする電子部品のソケット。
【発明の詳細な説明】
【技術分野】
【０００１】
本発明は、水晶発振器や半導体チップなどの電子部品の電気的特性を測定するのに用いられる電子部品のソケットに関するものである。
【背景技術】
【０００２】
一般に、水晶発振器や半導体チップなどの電子部品の電気的特性を測定するためのソケットが知られている。従来、この種の電子部品のソケットは、電子部品に接触可能な接触子と、この接触子を電子部品から離れるように駆動する外圧作用部と、電子部品を載せる、ばね付勢されたステージとを有し、このステージを押し下げ、ばねで上昇されたステージ上の電子部品に上記接触子が係合するようにしたソケットが特許文献１に開示されている。また、集積回路を支持する支持部材と、集積回路の接点に接触可能なコンタクトと、コンタクトを集積回路から離す拡開部材と、上記支持部材を上昇、降下させる押上部材とを有する集積回路用ソケットが特許文献２に開示されている。
【０００３】
しかしながら、上記特許文献１に記載されたソケットでは、接触子が固定端部から延びる折曲部とこの折曲部に連設された押圧片部等を備えた複雑な構造を有し、且つ接触子を電子部品に接触させるときには電子部品を支持するステージを押し下げる操作をしなければならず面倒であった。
【０００４】
また、特許文献２に記載されたソケットでは、コンタクトの構造が複雑な上、コンタクトを電子部品から離れるように操作する拡開部材および支持部材を上昇、降下させる押上部材を必要としているため、部品数が多く、全体の構造が複雑になり、且つ高価になるという問題があった。また、このソケットでは、上記特許文献1に記載されたソケットと同様に、操作が複雑であった。
【特許文献１】特開昭６２−１６０６７６号
【特許文献２】特開平２−１７２１７２号
【発明の開示】
【発明が解決しようとする課題】
【０００５】
そこで、本発明の目的は、操作が簡単であり、且つ構造が簡易で、安価に製造することができる電子部品のソケットを提供することにある。
【課題を解決するための手段】
【０００６】
かかる目的を達成するために、本発明に係る電子部品のソケットは、電子部品を載置する支承面を有するステージと、前記支承面に載置された電子部品に対して弾性的に接触して電気接続する接触子と、外圧の作用によって前記接触子を電子部品から離れるように弾性変形させる外圧作用部と、前記外圧の作用によって前記支承面に載置された電子部品を取出せるように解放する解放位置と、外圧を取り除くことによって支承面に載置された電子部品を押える押圧位置との間を移動するように前記ステージに回転可能に支持された押え部材とを備えることを特徴とする。
【０００７】
ここで、外圧作用部は、押え部材を駆動する作動部材を有する。作用機構は、ステージに回転可能に支持された押え部材の支持部とは異なった作用点で、押え部材と作動部材とを連結するように構成されている。この作用機構は、作動部材を回動可能に支持するピンと、押え部材に形成され前記ピンが挿入される長孔とから構成されている。
【０００８】
一方、接触子は、押え部材に係合され、押え部材が解放位置に移動されるとき、この移動に伴って電子部品から離れるように弾性変形される。接触子は、また、押え部材が押圧位置にあるとき、電子部品に弾性的に接触される。接触子は、更に、電子部品の側面端子に弾性的に接触可能な側面接触子と、電子部品の下面端子に弾性的に接触可能な下面接触子とを有する。
【発明の効果】
【０００９】
本発明によれば、作動部材を一回作動するだけで、押え部材によって電子部品を押圧位置にもたらすことができ、これによって、電子部品をテストできる状態に置くことができ、また、この状態から作動部材を離すだけで電子部品を解放する状態におくことができるので、操作がきわめて簡単である。また、構造がきわめて簡易であり、安価な電子部品のソケットを提供することができる。
【００１０】
更に、押え部材は、その回動軸支点である支持部から、ある距離、離れた作用点に加えられる回転力によって回動されるように構成されているので、押え部材は、解放位置では、電子部品の支承面を大きく開き、押圧位置ではコンパクトに配置されて電子部品を押えることができ、電子部品の支承面への載置あるいは支承面からの取り出しを容易に行うことができ、且つソケット全体を小型化することができるという利点がある。
【発明を実施するための最良の形態】
【００１１】
以下、本発明の実施の形態を、図面を参照して詳細に説明する。図１乃至図３には、本発明に係る電子部品のソケットが示され、この電子部品のソケットは、図１に一層明らかに示すように、電子部品１を支持するステージ２と、電子部品１を押える押え部材３と、この押え部材３を駆動する外圧作用部４とを備えている。
【００１２】
前記ステージ２は、図示の実施例では、平面でみて略長方形の形状を有し、このステージ２の中央部には、電子部品１（図２および図３参照）を載置する支承面５を有する。この電子部品１は、例えば水晶発振器や半導体チップ等である。
【００１３】
ステージ２は、任意の部材に載置されあるいは任意の位置に設置される。このステージ２は、図示の実施例では、基台６に固定される。更に詳細にのべると、図１に示すように、ステージ２の下面から複数の突起７が延び、これら突起７の先端には係止部８が形成されている。突起７に対応して基台６には貫通孔９が形成されている。ステージ２は、突起７が基台６の貫通孔９に挿入され、これら突起７の先端の係止部８が基台６の下面に係止することによって基台６に固定される。
【００１４】
ステージ２の支承面５に載置された電子部品１に弾性的に且つ電気的に接触可能な接触子１０が設けられ、この接触子１０は、一実施例では、電子部品１の側面端子１ａに弾性的に接触可能な側面接触子１１と、電子部品１の下面端子（図示せず）に弾性的に接触可能な下面接触子１２とを有する（図１参照）。これら側面接触子１１および下面接触子１２は、それら略中間部が基台６に固定されている（図２および図３参照）。側面接触子１１は、基台６の電子部品側で電子部品１の側面端子に接触する接触部１３と、この接触部１３から垂直に延びる垂直部１４とを有する。下面接触子１２は、基台６の電子部品側で電子部品１の下面端子に接触する接触部１５を有する。この接触部１５は、電子部品１がステージ２の支承面５に載置されたとき、この電子部品１の下面端子に弾性的に接触するように配置されている。これら側面接触子１１と下面接触子１２とは、基台６の電子部品１とは反対側で所要のテスタ（図示せず）に接続可能なリ−ド部１６、１７が設けられている（図２および図３参照）。
【００１５】
押え部材３は、一実施例では、図１乃至図３に示すように、ステージ２の支承面５の両側に配置された一対のレバー２０から成り、これらレバー２０の基端部２１は、レバー２０がステージ２の支承面５に載置された電子部品１を押える押圧位置(図２に示す状態および図４に実線で示す位置)と、電子部品１を支承面５から取り出すことができるように電子部品１を解放する解放位置（図３に示す状態および図４に一点鎖線で示す位置）との間を移動可能に、ステージ２にピン結合等の支持部２２によって回転可能に支持されている。ステージ２及び押え部材３には前記支持部２２が貫通する軸孔２３ａ，２３ｂがそれぞれ設けられている。これら一対のレバー２０の先端部には、図２および図３に示すように、ステージ２の支承面５上の電子部品１に接触する押え部２４が設けられている。これら一対のレバー２０には、例えば、貫通孔２５が形成され、これら貫通孔２５には側面接触子１１の垂直部１４が挿入される（図２および図３参照）。従って、側面接触子１１は、一対のレバー２０との係合によって、後述するように、一対のレバー２０が解放位置に移動するとき、支承面５上の電子部品１から離れるように移動される。
【００１６】
本発明のソケットには前記押え部材３を駆動する外圧作用部４が設けられる。この外圧作用部４は、作動部材３０と、この作動部材３０と押え部材３、即ち、一対のレバー２０とを連結する作用機構３１とを有する。作動部材３０は、図１に示すように、例えば、開口３２を有する矩形の枠体から成っている。この作動部材３０は、開口３２内にステージ２および一対のレバー２０を収容するように配置されて、例えば、基台６に、弾性部材３３を介し、任意の取付手段（図示せず）によって、ある範囲上下動可能に取付けられる。外圧はこの作動部材３０の上面全体に下向きに掛けられる。前記作用機構３１は、押え部材３、即ち、一対のレバー２０を、ステージ２に回転可能に支持された支持部２２から一定の距離離れた位置で、作動部材３０に連結させるように構成されている。また、この作用機構３１は、一対のレバー２０が押圧位置にあるとき、これら一対のレバー２０に略垂直方向に延びるように形成された長孔３４（図２参照）と、これら長孔３４のそれぞれに貫通するように作動部材３０の両側面３０ａ（図１参照）に固定されたピン３５とから成っている。
【００１７】
ここで、留意すべきは、作用機構３１が、作動部材３０に外圧を作用させて押し下げたとき、シャフト３５が長孔３４に沿って下方向に移動するに伴って、押え部材３、即ち一対のレバー２０に、これらの回動軸支点である支持部２２を中心に図２に矢印で示す方向の回転力を付与するように構成されていることである。これは、シャフト３５および長孔３４の位置が一対のレバー２０の支持部２２から、例えば、外方に、ある距離離れて配置されているからである。作用機構３１がこのように構成されると、押え部材３は、解放位置では電子部品１の支承面５を大きく開き、押圧位置ではコンパクトに配置され（閉じ）て、電子部品１を押えることができ、電子部品１の支承面５への載置あるいは支承面５からの取り出しを容易に行うことができる。
【００１８】
次に、上記の如き作用機構３１を有する上記電子部品のソケットの作動について述べる。図２に示す状態および図４に実線で示す位置、換言すると、押え部材３、即ち、一対のレバー２０の押圧位置から、作動部材３０に上方からの外圧を作用させて、矢印で示すように弾性部材３３に抗して下方向に押し下げると、シャフト３５が一対のレバー２０の長孔３４内を下方に移動しつつ、一対のレバー２０を、支持部２２を中心に図２に矢印で示す方向に回転するように、これらレバー２０に回転力を付与する。これによって、押え部材３、即ち一対のレバー２０は、図３に示す如く、電子部品１を取出せるような解放位置に回転される。この図３および図４に一点鎖線で示す解放位置において、電子部品１を支承面５に載置したり、支承面５から取り出したりすることができる。図２では、電子部品１が支承面５に載置されている状態を示し、図３では、電子部品１を支承面５から取り出している状態を示している。尚、側面接触子１１は、上記一対のレバー２０の回動に伴って、支承面５上の電子部品１から離れるように移動される（図３参照）。
【００１９】
作動部材３０への外圧を取り除いて作動部材３０の押し下げを解放すると、作動部材３０は弾性部材３３の付勢力によって上方に自動的に押し上がり、この押上げ移動に伴って、押え部材３、即ち、一対のレバー２０は、電子部品１の押圧位置に回転され、この押圧位置で、電子部品１は、弾性部材３３の付勢力が加えられた一対のレバー２０によって弾性的に保持される。この場合、一対のレバー２０の押え部２４が電子部品１に接触された状態になる。このとき、側面接触子１１が、電子部品１の側面端子１ａに弾性的に接触し、下面接触子１２は、電子部品１の下面端子に弾性的に接触する。この時点で、側面接触子１１および下面接触子１２のリード部１６，１７に接続されたテスターによって電子部品１の電気的特性を測定することができる。
【００２０】
このようにして、作動部材３０の作動によって押え部材３を電子部品１の押圧位置と電子部品１の解放位置とに置くことができ、しかもこれら押圧位置および解放位置への移動は、作動部材のそれぞれ一回の作動で行うことができる。更に詳細に述べると、実際の測定では、ソケットが連続的に多数配列され、作動部材３０の押圧動作は自動的に行われる。即ち、まず、外圧の作用で作動部材３０が押されて押え部材３が解放し、その間に吸着器（図示せず）に吸着された電子部品１が降りて来て支承面５にセットされる。次に、外圧を取り除いて作動部材３０の押圧を解除すると、弾性部材３３の復帰力によって作動部材３０が上昇し、その動きに伴って押え部材３が押圧位置に戻り、電子部品１を押え、この電子部品１の測定がテスターによって行われる。測定が終了すると、再び作動部材３０が自動的に押し下げられ、押え部材３が解放されるので吸着器が下りてきて電子部品１を吸着してステージから持ち去り、ワンサイクルを終了する。
【００２１】
上述の如く、本発明に係る電子部品のソケットによれば、上記効果で述べたように、操作、構造が簡易であるという利点がある。なお、本発明は上記実施例に限定されることなく、種々の変形を行うことができる。
【図面の簡単な説明】
【００２２】
【図１】本発明に係る電子部品のソケットの分解斜視図である。
【図２】押え部材を押圧位置にセットした時の図１に示す電子部品のソケットの断面図である。
【図３】押え部材を解放位置にセットした時の図１に示す電子部品のソケットの断面図である。
【図４】押え部材の押圧位置を実線で示し、解放位置を一点鎖線で示したときの説明図である。
【符号の説明】
【００２３】
１  電子部品
２  ステージ
３  押え部材
４  外圧作用部
５  支承面
１０  接触子
１４  垂直部
２０  一対のレバー
２５  貫通孔
３０  作動部材
３１  作用機構
３４  長孔
３５  シャフト
【図１】
2006066343.tif 000003
【図２】
2006066343.tif 000004
【図３】
2006066343.tif 000005
【図４】
2006066343.tif 000006